(57)【特許請求の範囲】
【請求項１】
シールドを開閉自在に支持するシールド用支持軸を外方から覆うカバーを、第１の係止手段と、この第１の係止手段から帽体外面に沿う方向に離間させて設けた第２の係止手段とによって帽体に着脱可能に取付けたヘルメットにおいて、
前記第１の係止手段を、帽体外面と略直交する方向に延びるとともに延設端部に帽体外面に沿う方向に延びる係止爪を形成した係止片と、前記係止爪が係合する係合孔とによって、前記係止爪が延在する方向が係脱方向になるように構成し、前記係止片を前記カバーと前記帽体との一方に形成しかつ前記係合孔を前記カバーと前記帽体との他方に形成し、
前記第２の係止手段を、帽体外面と略直交する方向に延びる凸部と、この凸部が嵌合する凹部とによって、帽体外面と略直交する方向が係脱方向になるように構成し、前記凸部を前記カバーと前記帽体との一方に形成しかつ前記凹部を前記カバーと前記帽体との他方に形成し、
この第２の係止手段を、前記第１の係止手段に対して、この第１の係止手段の係止爪が延びる方向と反対側に離間させて配設したことを特徴とするヘルメット。
【請求項２】
請求項１記載のヘルメットにおいて、第１の係止手段をシールド用支持軸と対応する位置に設けるとともに、シールドの回動中心部に穿設した円形孔が嵌入される前記支持軸を帽体に形成したことを特徴とするヘルメット。
【請求項３】
請求項１または請求項２記載のヘルメットにおいて、第２の係止手段を第１の係止手段よりヘルメット後側に配設し、カバーの前端部をシールドの外面に近接するように対向させたことを特徴とするヘルメット。
【発明の詳細な説明】
【０００１】
【発明の属する利用分野】
本発明は、ヘルメットに関し、特にシールドの支持軸を外方から覆うカバーの取付構造に関するものである。
【０００２】
【従来の技術】
従来、ヘルメットとしては、シールドの支持軸を外方からカバーで覆い、前記支持軸がヘルメットの外観に現れるのを阻止する構造のものがある。
この種のヘルメットとしては、例えば特開平６−３４６３０７号公報に開示されたものがある。この公報に示されたヘルメットは、前記カバーにシールドを開閉自在に支持させ、このカバーを二つの係止手段によって帽体に着脱可能に取付けている。
【０００３】
前記二つの係止手段のうち一方の係止手段（以下、これを第１の係止手段という）は、カバーに形成されたシールドを開閉自在に支持する支持軸を構成する部分に同軸状に突設した係合片と、この係合片が係合する帽体側の係合孔とから構成している。
【０００４】
前記係合片は、支持軸から帽体側へ突出する棒状の基部と、この基部の先端から帽体外面に沿う方向に対をなすように延びる二つの係合突起とによって側面視略Ｔ字状に形成している。
前記係合孔は、前記係合片の先端部が嵌入可能な開口形状で、帽体を貫通するように形成している。
【０００５】
他方の係止手段（以下、これを第２の係止手段という）は、カバーに帽体側へ突出するように形成した係合突起と、この係合突起が係入する帽体側の係合穴とから構成し、前記第１の係止手段から帽体外面に沿う方向に離間させて設けている。
このように構成した従来のヘルメットにおいて、シールドを帽体に取付けるためには、先ず、シールドをカバーに保持させ、このカバーの第１の係止手段の係合片を帽体の係合孔に係入させる。このときには、係合片の先端部の二つの係合突起を係合孔から帽体の裏側（内方）に突出させる。
【０００６】
次に、前記係合片を中心にしてカバーを固定位置まで回動させる。この固定位置とは、第２の係止手段が係止可能な位置である。カバーを固定位置まで回すことによって、前記係合片の二つの係合突起が帽体の裏側で係合孔が形成されていない位置に移動する。すなわち、係合突起が帽体の裏面に係合するようになる。
【０００７】
このようにカバーを回した後に、第２の係止手段の係合突起を係合穴に係入させることによって、シールドおよびカバーの帽体への取付作業が終了する。
また、シールドを交換するときなどでカバーを帽体から取外すためには、先ず、カバーの第２の係止手段側の一端部を把持して帽体の側方へ向けて引張り、カバーを弾性変形させて第２の係止手段の係合突起を係合穴から外す。そして、カバーを取付時とは反対方向に回動させ、第１の係止手段の係止片を係合孔から引出す。このように第１の係止手段による係止状態を解除することによって、カバーを帽体から取外すことができる。
【０００８】
【発明が解決しようとする課題】
しかるに、上述したように構成した従来のヘルメットは、カバーを帽体に組付けるときの作業が煩雑であり、生産性が低くなるという問題があった。これは、第１の係止手段の係合片を係合孔に嵌合させて係合突起が帽体の内方に位置するように押込む挿入操作と、カバーを固定位置まで回動させる回動操作と、回動後に第２の係止手段の係合突起を係合穴に係入させる固定操作からなる三つの操作を行わなければならないからである。しかも、前記挿入操作は、係合片の先端部の係合突起が係合孔内に位置している状態でカバーを回してしまうと係合片が破損されてしまうから、慎重に行わなければならないからである。
【０００９】
カバーの組付けは、損傷や汚れなどによりユーザーがシールドを交換するときにも行うから、生産性を向上させることのみならず、不慣れな者でもカバーの組付作業を破損させることなく簡単に行うことができるようにしなければならない。
【００１０】
また、従来のヘルメットは、カバーにシールドを支持させる構造を採っているから、予めシールドをカバーに装着し、シールドと共にカバーを帽体に組付けなければならない。すなわち、シールドがカバーから外れないように指で保持しながら、カバーの係合片を係合孔に挿入しなければならない。この点からもカバーの組付作業が煩雑になっている。
【００１１】
さらに、カバーを帽体から取外すためには、第２の係止手段による係止状態を解除するためにカバーを弾性変形させなければならないから、このカバーを弾性変形させる作業が容易になるように、第２の係止手段を第１の係止手段から大きく離間させなければならない。このため、カバーが大型化するという問題もあった。カバーが大型化すると、ヘルメットの意匠上の自由度が著しく低下してしまう。
【００１２】
本発明はこのような問題点を解消するためになされたもので、不慣れな者でもカバーを簡単に帽体に組付けることができるようにしてヘルメットの生産性を向上させるとともに、シールド交換などのメンテナンスを簡単にできるようにすることを第１の目的とする。また、カバーを弾性変形させることなく着脱できるようにしてカバーの小型化を図ることを第２の目的とする。
【００１３】
【課題を解決するための手段】
この目的を達成するために本発明に係るヘルメットは、シールドを開閉自在に支持するシールド用支持軸を外方から覆うカバーを、第１の係止手段と、この第１の係止手段から帽体外面に沿う方向に離間させて設けた第２の係止手段とによって帽体に着脱可能に取付けたヘルメットにおいて、前記第１の係止手段を、帽体外面と略直交する方向に延びて延設端部に帽体外面方向へ延びる係止爪を有する係止片と、前記係止爪が係合する係合孔とによって、前記係止爪の延在方向が係脱方向になるように構成し、前記係止片を前記カバーと前記帽体との一方に形成しかつ前記係合孔を前記カバーと前記帽体との他方に形成し、前記第２の係止手段を、帽体外面に対して略垂直に延びる凸部と、この凸部が嵌合する凹部とによって、帽体外面に略垂直な方向が係脱方向になるように構成し、前記凸部を前記カバーと前記帽体との一方に形成しかつ前記凹部を前記カバーと前記帽体との他方に形成し、この第２の係止手段を、前記第１の係止手段に対して、この第１の係止手段の係止爪が延びる方向と反対側に離間させて配設したものである。
【００１４】
本発明によれば、カバーにおける第２の係止手段とは反対側の端部が帽体に近接するとともに他端部（第２の係止手段側の端部）が帽体から離間するようにカバーを傾斜させ、第１の係止手段の係止爪が係合孔に係入するまで一方向に移動させることによって、第２の係止手段の凹部と凸部が同じ位置に位置するようになる。
【００１５】
このように第１の係止手段の係止爪が係合孔に係入した状態でカバーの前記他端部を帽体側に押圧することによって、第１の係止手段と第２の係止手段を共に係止状態にすることができる。
【００１６】
第１の係止手段が係止状態になることにより、帽体外面から離間する方向へのカバーの移動を第１の係止手段が阻止し、第２の係止手段が係止状態になることによって、第１の係止手段による係止状態が解除される方向へのカバーの移動を第２の係止手段が阻止する。
したがって、カバーを一方向に移動させて一方の端部を帽体側へ押圧するという簡単な操作でカバーを帽体に組付けることができる。
【００１７】
カバーを帽体から取外すためには、先ず、カバーの前記他端部を帽体から離間する方向に引張るとともに、シールドの弾発力に抗してカバー前端部を帽体側に押込み、第１の係止手段の係止爪が係合孔に係入している状態でカバーを帽体に対して傾斜させる。このようにカバーを傾斜させることによって第２の係止手段による係止状態が解除される。そして、第１の係止手段の係止爪が係合孔から離間する方向にカバーを移動させることによって、カバーを帽体から取外すことができる。このため、カバーを弾性変形させることなく帽体から取外すことができる。
【００１８】
請求項２に記載した発明に係るヘルメットは、請求項１に記載した発明に係るヘルメットにおいて、第１の係止手段をシールド用支持軸と対応する位置に設けるとともに、シールドの回動中心部に穿設した円形孔が嵌入される前記支持軸を帽体に形成したものである。
この発明によれば、帽体にシールドを保持させた状態でカバーを着脱することができる。
【００１９】
請求項３に記載した発明に係るヘルメットは、請求項１または請求項２に記載したヘルメットにおいて、第２の係止手段を第１の係止手段よりヘルメット後側に配設し、カバーの前端部を、シールドの外面に近接するように対向させたものである。
【００２０】
シールドを開閉操作を行うときや、シールドに風圧が加えられたときなど、通常の使用状態でシールドの両端部が拡がり、カバーが帽体から離間する方向に付勢されることがあるが、この発明によれば、カバーの前端部が帽体から離間する方向に付勢され、カバーの後端部に第２の係止手段が係止する方向の押圧力が生じるため、不用意にカバーが帽体から外れることがない。
【００２１】
【発明の実施の形態】
第１の実施の形態
以下、本発明に係るヘルメットの一実施の形態を図１ないし図１０によって詳細に説明する。
図１および図２は本発明に係るヘルメットの側面図で、図１はシールドを閉じた状態を示し、図２はシールドを開いた状態を示す。図３は帽体の側面図、図４はシールド支持部を拡大して示す側面図、図５はシールドの側面図、図６は図３における帽体のVI−VI線断面図である。
【００２２】
図７はカバーの側面図で、同図は帽体側から見た状態で描いてある。図８は図７におけるVIII−VIII線断面図、図９はカバーを係脱方向から見た状態を示す側面図で、同図は中心線より左側を破断した状態で描いてある。図９の破断位置を図７中にIX−IX線によって示す。図１０はカバーを帽体に組付ける手順を示す断面図で、同図（ａ）は組付後の状態を示し、同図（ｂ）は第１の係止手段の爪片を係合孔に係入させた状態を示している。
【００２３】
これらの図において、符号１で示すものは、この実施の形態によるヘルメットである。このヘルメット１は、いわゆるジェット型と呼称されるもので、帽体２の前端部から下端部にわたって開口を形成し、帽体の左右方向の両側部にシールド３を開閉自在に取付けるとともに、このシールド３の回動中心部を覆う円板状のカバー４を着脱可能に取付けている。
【００２４】
前記シールド３は、透明または薄く着色した合成樹脂によって平板状に形成し、左右方向の両端部に対して中央部がヘルメット１の前方に位置するように湾曲させた状態で帽体２に組付けている。このように湾曲させた状態のシールド３を図５に示す。
【００２５】
シールド３の両端部には、図５に示すように、後述するシールド用支持軸を嵌合させる円形孔５を穿設するとともに、このシールド３を閉じた位置と開いた位置とに保持するための切欠き６を形成している。切欠き６は、両端部に円弧状の凹部６ａを形成している。
また、この切欠き６と前記円形孔５との間には、切欠き６を形成したシールド後端部が容易に弾性変形できるように、長孔７を切欠き６に沿う形状に穿設している。
【００２６】
前記カバー４は、図７〜図１０に示すように、合成樹脂によって円板状に形成したカバー本体８に後述する係止片などを一体に形成した構造を採り、図１に示すように、このカバー４の中心部に位置する第１の係止手段１１と、この第１の係止手段１１よりヘルメット後側に位置する第２の係止手段１２とによって帽体２に着脱可能に取付けている。
前記カバー本体８は、この形態では中心部がヘルメット１の側方に突出して外面が略球面をなすように形成している。
【００２７】
前記第１の係止手段１１は、図３，４，６，１０に示すように帽体２に形成した係合孔１３と、この係合孔１３に係止するカバー４側の係止片１４（図７〜図１０参照）とから構成している。また、第２の係止手段１２は、図３，４，６，１０に示すように帽体２に形成した円形孔１５と、この円形孔１５に嵌入するカバー４側の円筒１６（図７〜図１０参照）とから構成している。
【００２８】
第１の係止手段１１の係合孔１３は、帽体２の一部が外方に突出するように形成したシールド用支持軸１７の軸心部に形成している。詳述すると、前記支持軸１７は、図６に示すように、略円筒状に形成し、外周部に前記シールド３の円形孔５を嵌合させる軸部１７ａと、シールド３の内面と対向する環状平面１７ｂとを形成し、内周部に鍔１７ｃを一体に形成している。この鍔１７ｃより帽体２の内方が前記係合孔１３を構成している。
【００２９】
前記鍔１７ｃは、後述するカバー４側の係止片１４を係合孔１３に挿入できるように、長孔状の開口１７ｄ（図３参照）を形成している。
前記第２の係止手段１２の円形孔１５は、帽体２を貫通するように形成している。
【００３０】
第１の係止手段１１の係止片１４は、前記カバー本体８における帽体２と対向する側面の中心部から帽体外面と略直交する方向（図８において上方）に延びる円筒状の基部１８と、この基部１８の先端部分から帽体外面に沿う方向（図８において左右方向）であって第２の係止手段１２の円筒１６とは反対側に延びる係止爪１９とから形成している。
【００３１】
この係止爪１９を有する係止片１４の先端部は、図７に示すように、帽体側から見て長円状に形成している。また、係止爪１９における帽体２とは反対側の面１９ａは、基部１８から先端に向かうにしたがって次第に帽体側に偏在するように傾斜させている。
【００３２】
また、第２の係止手段１２の円筒１６は、前記カバー本体８から帽体外面と略直交する方向に延びるように突設している。この円筒１６および帽体２の前記円形孔１５を形成する位置は、前記係合孔１３および係止片１４からなる第１の係止手段１１が係止状態にあるときに円形孔１５に円筒１６が嵌合できるように設定している。
【００３３】
この実施の形態では、前記円筒１６を利用してシールド３を閉じた位置または開いた位置に保持する構造を採っている。
すなわち、円筒１６は、シールド３を前記支持軸１７に支持させた状態でシールド後端部の前記切欠き６に外周面が接触するように位置付けられており、図１に示すように、シールド３を閉じた状態で前記切欠き６の下側の円弧状凹部６ａに係入し、図２に示すように、シールド３を開いた状態で前記切欠き６の上側の円弧状凹部６ａに係入する構造を採っている。
【００３４】
この実施の形態では、シールド３の後端部に前記切欠き６に沿うように長孔７を穿設することによって切欠き形成部分が弾性変形できるようにしているから、上側の円弧状凹部６ａに円筒１６が係入したときと、下側の円弧状凹部６ａに円筒１６が係入したときとで、切欠き形成部分が円筒１６を押圧する押圧力（シールド後端部の弾発力）が略等しくなる。このため、シールド３を開いたときと閉じたときとで略等しい保持力でシールド３を保持できる。
【００３５】
また、カバー本体８は、図７に示すように、帽体２と対向する側面であって前記係止片１４と前記円筒１６との間に、シールド３の後部を前記支持軸１７の環状平面１７ｂとの間に保持するための後側保持板２０を立設している。さらに、同図における係止片１４の上側と下側であって、係止片１４の基部１８とカバー本体８とによって挟まれる角部には、シールド３における前記支持軸１７の上方と下方に位置する部位を前記環状平面１７ｂとの間に保持するための前側保持板２１を立設している。
【００３６】
さらにまた、カバー本体８における前記円筒１６の近傍には、カバー４の後部と帽体２との間隔を一定の寸法に保つためのストッパー２２を一体に形成している。この実施の形態では、ストッパー２２を円筒１６の外周面における係止片１４とは反対側の部位に接続するように形成している。
【００３７】
上述したように構成したヘルメット１を組立てるためには、先ず、帽体２のシールド用支持軸１７にシールド３の円形孔５を嵌合させてシールド３を帽体２に保持させる。次に、カバー４の係止片１４を帽体２の係合孔１３に挿入する。
【００３８】
この挿入操作は、図１０（ｂ）に示すように、カバー４における第２の係止手段１２の円筒１６とは反対側の端部（以下、この端部を前端部という）が帽体２に近接するとともに、前記円筒１６側の端部が帽体２から離間するようにカバー４を傾斜させて行う。このとき、カバー４の前端部でシールド３を帽体２側に押付けるようにする。
【００３９】
このように係止片１４を係合孔１３に挿入した後、係止片１４の基部１８がシールド用支持軸１７の前記鍔１７ｃに当接するまでカバー４を帽体外面に沿って一方向に移動させる。このときの移動方向は、係止爪１９が指向する方向（前上方）である。
【００４０】
係止片１４の基部１８が前記鍔１７ｃに当接してそれ以上移動できなくなるまでカバー４を移動させることによって、帽体２の円形孔１５とカバー４の円筒１６とが同一軸線上に位置するようになるから、この状態でカバー４の後端部を前記ストッパー２２が帽体２に当接するまで帽体２側へ押圧する。
【００４１】
この押圧操作によって、図１０（ａ）に示すように、係止片１４が係合孔１３に係止されて第１の係止手段１１が係止状態になるとともに、円筒１６が円形孔１５に嵌合して第２の係止手段１２が係止状態になる。
【００４２】
第１の係止手段１１が係止状態になることにより、帽体外面から離間する方向へカバー４が移動するのを阻止でき、第２の係止手段１２が係止状態になることによって、第１の係止手段１１による係止状態が解除される方向（後方）へカバー４が移動するのを阻止できる。
【００４３】
したがって、この実施の形態によるヘルメット１は、カバー４を一方向に移動させて後端部を帽体２側へ押圧するという簡単な操作でカバー４を帽体２に組付けることができる。
【００４４】
カバー４を帽体２に組付けた状態では、カバー４の前側保持板２１および後側保持板２０がシールド３の外面に微小な隙間をおいて対向するから、シールド３の後端部がヘルメット１の側方に移動して支持軸１７から外れるのを阻止できる。なお、前側保持板２１および後側保持板２０は、シールド３の外面に常時接触するように形成しても同等の効果を奏する。
【００４５】
また、前記組付状態では、図１０（ａ）に示すように、カバー４の前端部がシールド３の外面に微小な隙間をおいて対向する。
シールド３は、開閉操作を行ったときや、風圧が加えられたときなど、通常の使用状態で両端部が拡がり、カバー４が帽体２から離間する方向に付勢されることがある。
【００４６】
ところが、カバー４の前端部がシールド３で付勢されることによって、カバー４の後端部に円筒１６を円形孔１５に更に深く押込む方向の押圧力が生じるから、ヘルメット１を構成する部材の一つであるシールド３を利用して不用意にカバー４が帽体２から外れることがないようにすることができる。
なお、カバー４の前端部は、シールド３の外面と常時接触するように形成しても同じ効果を奏する。
【００４７】
カバー４を帽体２から取外すためには、先ず、カバー４の後端部を帽体２から離間する方向に引張るとともに、シールド３の弾発力に抗してカバー前端部を帽体２側に押込み、係止片１４の係止爪１９が係合孔１３に係入している状態でカバー４を帽体２に対して傾斜させる。
【００４８】
このようにカバー４を傾斜させることによって、円筒１６が円形孔１５から引出されて第２の係止手段１２による係止状態が解除される。そして、係止片１４の係止爪１９が係合孔１３から離間する方向（後下方）にカバー４を移動させることによって、カバー４を帽体２から取外すことができる。
【００４９】
このため、カバー４を弾性変形させることなく帽体２から取外すことができるから、第１の係止手段１１と第２の係止手段１２との間隔を従来より短く設定することができ、カバー４の小型化を図ることができる。
【００５０】
また、この実施の形態では、シールド３の回動中心部に円形孔５を穿設するとともに、帽体２にシールド用支持軸１７を前記円形孔５に嵌入するように形成しているから、帽体２にシールド３を保持させた状態でカバー４を着脱することができ、作業性が高くなる。
【００５１】
第２の実施の形態
第１の係止手段および第２の係止手段は、図１１ないし図１５に示すように形成することができる。
図１１は他の実施の形態を示すヘルメットの側面図、図１２は帽体の側面図、図１３はシールド支持部を拡大して示す側面図、図１４は図１２におけるXIV−XIV線断面図、図１５は図１１におけるXV−XV線断面図である。これらの図において前記図１ないし図１０によって説明したものと同一もしくは同等の部材については、同一符号を付して詳細な説明を省略する。
【００５２】
図１１〜図１５に示した第１の係止手段１１は、帽体２に一体に形成した係合用凸部３１と、カバー４に突設した係止片１４とから構成し、第２の係止手段１２は、帽体２に一体に形成した円柱３２と、カバー４に形成した円形凹部３３とから構成している。
【００５３】
前記係合用凸部３１は、帽体２の外面の一部が部分的に帽体外側に突出するように形成したシールド用支持軸１７の先端部に形成している。詳述すると、係合用凸部３１は、前記支持軸１７の先端面１７ｅからヘルメット１の側方に突出する側面視コ字状の側壁３１ａと、この側壁３１ａの突出端に帽体外面に沿うように設けた鍔１７ｃとから形成している。前記側壁３１ａと鍔１７ｃとによって囲まれた空間が係合孔１３を構成している。
前記円柱３２は、カバー４の円形凹部３３に嵌合できるように形成している。
【００５４】
第１の係止手段１１および第２の係止手段１２をこのように構成しても第１の実施の形態を採る場合と同等の効果を奏する。
特に、この第２の実施の形態を採ることによって、帽体２には貫通穴が形成されることがないから、雨水などが帽体２内に浸入するのを阻止することができる。
【００５５】
なお、第１の係止手段１１は、帽体２に係止片１４を形成するとともに、カバー４に係合孔１３を形成することによっても構成することができる。
また、第１の実施の形態および第２の実施の形態ではジェット型のヘルメットに本発明を適用する例を示したが、本発明は、フルフェイス型のヘルメットにも適用することができる。
【００５６】
【発明の効果】
以上説明したように本発明によれば、カバーを一方向に移動させて一方の端部を帽体側へ押圧するという簡単な操作でカバーを帽体に組付けることができるから、従来のヘルメットに較べてカバーの組付作業が簡単になり、ヘルメットの生産性を向上させることができる。しかも、カバーの組付作業に熟練を要することはないから、カバーの組付作業に慣れていないユーザーであっても簡単にカバーを組付けることができる。
【００５７】
また、カバーを弾性変形させることなく帽体から取外すことができるから、第１の係止手段と第２の係止手段との間隔を従来より短く設定することができ、カバーの小型化を図ることができる。
このようにカバーが小型になるから、本発明に係るヘルメットは、意匠上の自由度を増大させることができる。
【００５８】
請求項２記載の発明によれば、帽体にシールドを保持させた状態でカバーを着脱することができるから、カバーの着脱作業が簡単である。
【００５９】
請求項３記載の発明によれば、シールドの両端部が通常の使用状態で拡がることによって、カバーの前端部が帽体から離間する方向に付勢され、カバーの後端部に第２の係止手段が係止する方向の押圧力が生じる。すなわち、シールドの両端部が拡がってカバーが帽体から離間する方向に付勢されたとしても、不用意にカバーが帽体から外れることはない。
このため、ヘルメットを構成する部材の一つであるシールドを利用してカバーが帽体から外れることがないようにすることができる。
【図面の簡単な説明】
【図１】  本発明に係るヘルメットの側面図である。
【図２】  本発明に係るヘルメットの側面図である。
【図３】  帽体の側面図である。
【図４】  シールド支持部を拡大して示す側面図である。
【図５】  シールドの側面図である。
【図６】  図３における帽体のVI−VI線断面図である。
【図７】  カバーの側面図である。
【図８】  図７におけるVIII−VIII線断面図である。
【図９】  カバーを係脱方向から見た状態を示す側面図である。
【図１０】  カバーを帽体に組付ける手順を示す断面図である。
孔に係入させた状態を示している。
【図１１】  他の実施の形態を示すヘルメットの側面図である。
【図１２】  帽体の側面図である。
【図１３】  シールド支持部を拡大して示す側面図である。
【図１４】  図１２におけるXIV−XIV線断面図である。
【図１５】  図１１におけるXV−XV線断面図である。
【符号の説明】
１…ヘルメット、２…帽体、３…シールド、４…カバー、５…円形孔、１１…第１の係止手段、１２…第２の係止手段、１３…係合孔、１４…係止片、１５…円形孔、１６…円筒、１７…支持軸、３２…円柱、３３…円形凹部。
【図１】
0004451512.tif 000002
【図２】
0004451512.tif 000003
【図３】
0004451512.tif 000004
【図４】
0004451512.tif 000005
【図５】
0004451512.tif 000006
【図６】
0004451512.tif 000007
【図７】
0004451512.tif 000008
【図８】
0004451512.tif 000009
【図９】
0004451512.tif 000010
【図１０】
0004451512.tif 000011
【図１１】
0004451512.tif 000012
【図１２】
0004451512.tif 000013
【図１３】
0004451512.tif 000014
【図１４】
0004451512.tif 000015
【図１５】
0004451512.tif 000016